(57)【要約】  輸液ポンプ装置が、ハウジングと、ポンピング機構と、ポンプ扉とを有する輸液ポンプに取り外し可能に装填可能な或る長さの弾性管材を備える。ラッチ部材がポンプ扉に枢動可能に装着され、ポンプハウジングに固定されたラッチピンと協働する。自由流れ防止デバイスが、流体の流れを停止するように閉じられた管材を挟持するように付勢される。ラッチ部材は、ラッチ部材がラッチピンと係合し、扉を閉位置に固定するようにさせるための、係止方向における第１の範囲の枢動運動と、ラッチ部材が、管材の挟持を解除し、流れを可能にするように、自由流れ防止デバイスを作動させるようにするための、係止方向における第２の範囲の枢動運動とを有する。ラッチ部材は、第２の範囲の枢動運動を通じて枢動を開始する前に第１の範囲の枢動運動の少なくとも一部分を通じて枢動する。【選択図】図６Ｄ
2020524543.tif 000002
【特許請求の範囲】
【請求項１】
自由流れ防止デバイスであって、
管材案内路と、前記管材案内路に交差するプランジャチャネルとを定義する本体と、
前記プランジャチャネルによって摺動可能に受け入れられるプランジャであって、前記プランジャは、前記プランジャを通る管材通路を定義し、前記管材通路と前記管材案内路との間の位置合わせの度合いを変動させるように、前記本体に対して移動可能である、プランジャと、
前記管材通路と前記管材案内路との間の前記位置合わせの度合いを低減する方向に前記プランジャを付勢するばねと、
を備え、
前記プランジャは、前記プランジャチャネルから突出する湾曲した作動面を含む、自由流れ防止デバイス。
【請求項２】
前記プランジャの前記管材通路は第１の軸に沿って延び、前記湾曲した作動面は、前記第１の軸に直交する第２の軸の回りの弧状セグメントプロファイルを含む、請求項１に記載の自由流れ防止デバイス。
【請求項３】
投与セットであって、
（ｉ）管材案内路と、前記管材案内路に交差するプランジャチャネルとを定義する本体と、（ｉｉ）プランジャを通る管材通路を定義する前記プランジャであって、前記プランジャは、前記プランジャチャネルによって摺動可能に受け入れられ、前記管材通路と前記管材案内路との間の位置合わせの度合いを変動させるように、前記本体に対して移動可能である、プランジャと、（ｉｉｉ）前記管材通路と前記管材案内路との間の前記位置合わせの度合いを低減する方向に前記プランジャを付勢するばねと、を備える自由流れ防止デバイスと、
前記管材案内路および前記管材通路を通って延びる、或る長さの弾性管材と、
を備え、
前記プランジャは、前記プランジャチャネルから突出する湾曲した作動面を含む、投与セット。
【請求項４】
前記プランジャの前記管材通路は、第１の軸に沿って延び、前記湾曲した作動面は、前記第１の軸に直交する第２の軸の回りの弧状セグメントプロファイルを含む、請求項３に記載の投与セット。
【請求項５】
前記自由流れ防止デバイスの前記本体は前記或る長さの弾性管材に取り付けられる、請求項３に記載の投与セット。
【請求項６】
輸液ポンプ装置であって、
Ａ）或る長さの弾性管材と、
Ｂ）輸液ポンプであって、
ポンプハウジングと、
前記ポンプハウジングによって支持されるポンピング機構と、
前記ポンプハウジングに対し移動可能なポンプ扉であって、前記ポンプ扉は、前記或る長さの管材が前記ポンピング機構に隣接して前記輸液ポンプ内に装填されることを可能にする開位置まで動き、前記ポンプ扉は、前記或る長さの弾性管材を覆う閉位置まで動く、ポンプ扉と、
前記ポンプ扉に対し枢動可能に装着されるラッチ部材であって、前記ラッチ部材は、ラッチ枢動軸の回りで前記ポンプ扉に対し枢動可能である、ラッチ部材と、
前記ポンプハウジングに対し固定された場所にあるラッチピンと、
を備える、輸液ポンプと、
Ｃ）前記弾性管材を通る流体の流れを停止するように閉じられた前記弾性管材を挟持するように付勢された自由流れ防止デバイスと、
を備え、
前記ラッチ部材は、前記ラッチ部材が前記ラッチピンと係合し、前記ポンプ扉を前記閉位置に固定するようにさせるための、係止方向における前記ラッチ枢動軸の回りの第１の範囲の枢動運動と、前記ラッチ部材が、前記弾性管材の挟持を解除し、前記弾性管材を通る流体の流れを可能にするように前記付勢に対抗して前記自由流れ防止デバイスを作動させるようにするための、前記係止方向における前記ラッチ枢動軸の回りの第２の範囲の枢動運動とを有し、前記ラッチ部材は、前記第２の範囲の枢動運動を通じて枢動を開始する前に、前記第１の範囲の枢動運動の少なくとも一部分を通じて枢動する、輸液ポンプ装置。
【請求項７】
前記第２の範囲の枢動運動の少なくとも一部分は、前記第１の範囲の枢動運動の一部分と重複する、請求項６に記載の輸液ポンプ装置。
【請求項８】
前記ラッチ部材は、前記第１の範囲の枢動運動の開始を定義する係止解除限界位置を有し、前記第２の範囲の枢動運動は、前記ラッチ部材が、前記係止解除限界位置から、前記ラッチ枢動軸の回りの所定の角度を通じて前記係止方向に枢動した後に開始する、請求項６に記載の輸液ポンプ装置。
【請求項９】
前記所定の角度は、少なくとも４５°である、請求項８に記載の輸液ポンプ装置。
【請求項１０】
前記ラッチ部材は、前記第１の範囲の枢動運動の終了時に係止限界位置を有し、前記係止限界位置は、前記第２の範囲の枢動運動の終了を更に定義する、請求項８に記載の輸液ポンプ装置。
【請求項１１】
前記ポンプ扉は、前記ポンプ扉が前記閉位置にあるとき、前記自由流れ防止デバイスと接触しない、請求項６に記載の輸液ポンプ装置。
【請求項１２】
前記ポンプ扉はプラテン面を含み、前記ポンピング機構は、前記ポンプ扉が前記閉位置にあるときに前記プラテン面の反対側にある複数の蠕動ポンピングフィンガと、前記プラテン面に対し前記管材を弾性に変形させるように前記複数の蠕動ポンピングフィンガを変位させるように動作可能なモーター駆動式カムとを含み、前記複数の蠕動ポンピングフィンガのうちの少なくとも１つは、前記プラテン面に対抗して前記管材を挟持するように配置され、これにより前記ポンプ扉が前記閉位置にあり前記ポンピング機構が動作していないときに前記管材を通る流れを阻止する、請求項６に記載の輸液ポンプ装置。
【請求項１３】
前記ラッチ部材は湾曲したカム面を含み、前記自由流れ防止デバイスは、前記湾曲したカム面と協働するための湾曲した作動面を含み、前記湾曲したカム面は、前記ラッチ部材が前記第２の範囲の枢動運動を通じて前記自由流れ防止デバイスを作動させるように枢動されている間、前記湾曲した作動面と係合する、請求項６に記載の輸液ポンプ装置。
【請求項１４】
前記ラッチ部材は、キーホール部分と、前記キーホール部分につながる通路面とを有するスロットを含み、前記ラッチ部材が前記第１の範囲の枢動運動を通じて枢動されている間、前記通路面、および次に前記キーホール部分は、連続して前記ラッチピンと係合する、請求項６に記載の輸液ポンプ装置。
【請求項１５】
前記自由流れ防止デバイスは、前記或る長さの弾性管材に取り付けられる、請求項６に記載の輸液ポンプ装置。
【発明の詳細な説明】
【技術分野】
【０００１】
[0001]本発明は、輸液ポンプの扉またはプラテン部材をしっかりと閉じるためのラッチ機構、およびラッチ機構と協働する自由流れ防止デバイスに関する。
【背景技術】
【０００２】
[0002]経腸栄養法のための流動食、および疼痛管理等の様々な目的のための医薬の、制御された輸送を遂行するためにプログラム可能な輸液ポンプが使用されている。一般的な構成では、輸液ポンプは、輸液ポンプのポンピング機構によって係合されるように設計されている管材セグメントを有する可撓性管材を備えている、使い捨て式投与セットを受け入れる。投与セットは、管材セグメントの両端のまたは両端付近の既定場所において可撓性管材へ固定的に付着されている一対の装着用構成要素を更に備えている場合もあり、それにより、装着用構成要素は、ポンピング機構による作動的な係合のために、適正な位置に管材セグメントを固定する輸液ポンプ上のそれぞれの嵌め合い機構によって、受け入れ可能になっている。装着用構成要素のうちの一方は、管材セグメントを正しく位置付けるのを支援することを超えて、追加の機能性を提供する場合もある。例えば、装着用構成要素のうちの一方が、管材を通る輸注液の流れを、選択的に停止および許容するように動作可能な自由流れ防止デバイスとして構成される場合もある。投与セットがポンプに装填されると、自由流れ防止デバイスは、それの通常の流れを停止する閉位置から、流れを可能にするそれの開位置へ、作動させられる。上述の構成の一例が、Ｍｏｕｂａｙｅｄ他の米国特許第６，１６４，９２１号に開示されている。
【０００３】
[0003]従来技術の構成では、ポンプの扉またはプラテン部材は、投与セットが装填された後、閉位置に枢動する。閉鎖中、扉またはプラテン部材は、自由流れ防止デバイスを、その閉位置からその開位置まで作動させる。例えば、自由流れ防止デバイスは、弁本体と、閉じた管材を挟持するようにばね付勢されたプランジャとを備えることができ、扉またはプラテン部材は、プランジャと係合し、プランジャをばね付勢に対抗して動かし、管材における流れを開くことができる。扉またはプラテン部材が完全に閉じられると、ポンピング機構が、開かれた自由流れ防止デバイスに代わり、管材を通る意図しない流れを阻止する。
【０００４】
[0004]このタイプの構成では、自由流れ防止デバイスは、扉またはプラテン部材が完全に閉じる前、およびポンピング機構が流れを阻止することができる前に開き始める。結果として、扉またはプラテン部材が僅かに開いたままになっているとき、ポンピング機構のプログラムされた動作ではなく、重力によって、液体が患者に注入され得るリスクがある。
【発明の概要】
【課題を解決するための手段】
【０００５】
[0005]本開示は、自由流れ防止デバイスと、輸液ポンプの扉が完全に閉じられた後にのみ自由流れ防止デバイスを作動させるように設計されたラッチ機構とを提供する。自由流れ防止デバイスは、或る長さの弾性管材を含む使い捨て式投与セットの一部であってもよく、自由流れ防止デバイスは、弾性管材を通る流体の流れを停止するように閉じられた弾性管材を挟持するように付勢され得る。１つの実施形態では、ポンプ扉は、輸液ポンプのポンピング機構の上で閉じ、ポンピング機構の反対側のプラテン面を定義し、ラッチ機構は、ラッチ部材および対応するラッチピンを含み、ラッチ部材は、ポンプ扉に枢動可能に取り付けられ、ラッチピンは、ポンプハウジングに対し固定された場所にある。ラッチ部材は、ラッチ部材がラッチピンと係合し、ポンプ扉を閉位置に固定するようにさせるための、係止方向におけるラッチ枢動軸の回りの第１の範囲の枢動運動と、ラッチ部材が、弾性管材の挟持を解除し、弾性管材を通る流体の流れを可能にするように、付勢に対抗して自由流れ防止デバイスを作動させるようにするための、係止方向におけるラッチ枢動軸の回りの第２の範囲の枢動運動とを有する。ラッチ部材は、第２の範囲の枢動運動を通じて枢動を開始する前に第１の範囲の枢動運動の少なくとも一部分を通じて枢動する。
【０００６】
[0006]自由流れ防止デバイスは、本体と、プランジャと、付勢ばねとを備えることができる。本体は、管材案内路と、管材案内路に交差するプランジャチャネルとを定義することができ、プランジャは、プランジャチャネルによって摺動可能に受け入れられる。プランジャは、プランジャを通る管材通路を定義することができ、プランジャは、管材通路と管材案内路との間の位置合わせの度合いを変動させるように、本体に対して移動可能であり得る。ばねは、通常、閉じた状態で弾性管材を挟持するために、管材通路と管材案内路との間の位置合わせの度合いを低減する方向にプランジャを付勢するように配置され得る。プランジャは、ラッチ部材の湾曲したカム面によってプランジャを作動させるように作用され、それによって自由流れ防止デバイスを開いて管材を通る流れを可能にする、プランジャチャネルから突出する湾曲した作動面を含むことができる。
【０００７】
[0007]ここで、添付の図面を参照して、本発明の以下の詳細な説明において本発明の性質および動作モードがより詳細に説明される。
【図面の簡単な説明】
【０００８】
【図１】[0008]本発明の実施形態に従って形成される輸液ポンプを示す斜視図である。
【図２】[0009]本発明の実施形態に従って形成される投与セットの斜視図である。
【図３】[0010]図２に示す投与セットの自由流れ防止デバイスを示す詳細な斜視図である。
【図４】[0011]自由流れ防止デバイスの展開斜視図である。
【図５Ａ】[0012]輸液ポンプの扉が閉位置に固定される前に輸液ポンプに装填される投与セットを示す正面断面図である。
【図５Ｂ】輸液ポンプの扉が閉位置に固定される前に輸液ポンプに装填される投与セットを示す正面断面図である。
【図６Ａ】[0013]輸液ポンプのラッチ部材が、ポンプ扉を閉位置に固定し、流れを許容するように自由流れ防止デバイスを作動させる枢動動作を示す一連の詳細図である。
【図６Ｂ】輸液ポンプのラッチ部材が、ポンプ扉を閉位置に固定し、流れを許容するように自由流れ防止デバイスを作動させる枢動動作を示す一連の詳細図である。
【図６Ｃ】輸液ポンプのラッチ部材が、ポンプ扉を閉位置に固定し、流れを許容するように自由流れ防止デバイスを作動させる枢動動作を示す一連の詳細図である。
【図６Ｄ】輸液ポンプのラッチ部材が、ポンプ扉を閉位置に固定し、流れを許容するように自由流れ防止デバイスを作動させる枢動動作を示す一連の詳細図である。
【図６Ｅ】輸液ポンプのラッチ部材が、ポンプ扉を閉位置に固定し、流れを許容するように自由流れ防止デバイスを作動させる枢動動作を示す一連の詳細図である。
【図６Ｆ】輸液ポンプのラッチ部材が、ポンプ扉を閉位置に固定し、流れを許容するように自由流れ防止デバイスを作動させる枢動動作を示す一連の詳細図である。
【図７】[0014]蠕動輸液ポンプのポンピングフィンガのうちの１つによる管材の遮蔽を示す、図６Ｆに対応するズームアウト図である。
【発明を実施するための形態】
【０００９】
[0015]図１は、輸液ポンプ１０を示し、図２は、輸液ポンプ１０によって取り外し可能に受け入れられるように設計された使い捨て式投与セット１２を示す。投与セット１２は、輸注液を運ぶための管材１４と、管材１４を通る輸注液の流れを選択的に停止および許容するように動作可能な自由流れ防止デバイス１６とを備える。投与セット１２は、ロケータピン１８も備えることができる。自由流れ防止デバイス１６およびロケータピン１８は、管材に沿った別々の場所において、管材１４へ固定的に取り付けられ得る。例えば、自由流れ防止デバイス１６とロケータピン１８は、結合剤によって管材１４に結合され得る。投与セット１２は、管材１４の各端部に１つずつ、一対のコネクタ１９Ａ、１９Ｂも備えることができる。
【００１０】
[0016]示される実施形態では、輸液ポンプ１０は、自由流れ防止デバイス１６を取り外し可能に受け入れるサイズの第１の陥凹２０と、ロケータピン１８を取り外し可能に受け入れるサイズの第２の陥凹２２とを有する。投与セット１２は、管材１４のセグメント１５がポンプ１０のハウジング２６によって支持されるポンピング機構２４に隣接するようにして、自由流れ防止デバイス１６を第１の陥凹２０の中へ、そしてロケータピン１８を第２の陥凹２２の中へ挿入することによって、輸液ポンプ１０へ装填される。
【００１１】
[0017]図１からわかるように、輸液ポンプ１０は、ハウジング２６に対し、管材セグメント１５がポンピング機構２４に隣接して輸液ポンプ内に装填されることを可能にする開位置、および管材セグメント１５を覆う閉位置に移動可能な扉２８を備える。示される実施形態では、扉２８は、ヒンジピン３０において枢動可能にハウジング２６に装着されているが、扉２８は、本発明から逸脱することなく、ハウジング２６に摺動可能に装着されてもよい。図に示すように、ポンピング機構２４は、液体が管材１４を通してポンプされるように、順次蠕動式に管材セグメント１５に係合し、一時的に管材セグメント１５を変形するよう、モーター駆動式偏心カム３４の回転によって動かされる複数の伸展可能で引込可能なポンピングフィンガ３２を有する曲線状の蠕動ポンピング機構であってもよい。ポンピング機構２４は、回転シャフト上に装着されたそれぞれのカムによって動かされる軸方向に離間されたフィンガを有する線形蠕動ポンピング機構、またはロータ上でのポンピング要素による係合のために管材セグメント１５がその回りに部分的に巻かれるモーター駆動式ロータを有する回転ポンピング機構等の他の形態をとってもよい。ポンピング機構２４が蠕動ポンピング機構である場合、扉２８は、扉２８がその閉位置にあるときに、ポンピングフィンガ３２に向かい合う管材セグメント１５に接触するプラテン面３６を含むことができる。
【００１２】
[0018]輸液ポンプ１０は、枢動ピン４０によって定義される横方向に延びるラッチ枢動軸４１の回りの回転のために、枢動ピン４０によってポンプ扉２８に枢動可能に装着されたラッチ部材３８を更に含む。ポンプ１０は、ポンプハウジング２６の前壁から内方に突出するように装着されたラッチピン４２も備える。ラッチピン４２は、ポンプハウジング２６に対し固定された場所に据え付けられる。以下で詳細に説明されるように、ラッチ部材３８は、輸液ポンプ１０上でその閉位置にポンプ扉２８を固定し、流体が管材セグメント１５を通って流れることを可能にするよう自由流れ防止デバイス１６を作動させるように動作可能である。
【００１３】
[0019]自由流れ防止デバイス１６の実施形態が図３および図４に詳細に示される。自由流れ防止デバイス１６は、通常、本体４４と、プランジャ４６と、付勢ばね４８とを備える。本体４４は、管材案内路５０と、管材案内路に交差するプランジャチャネル５２とを定義する。プランジャ４６は、プランジャチャネル５２によって摺動可能に受け入れられ、プランジャを通って軸５５に沿って延びる管材通路５４を定義する。プランジャ４６は、プランジャ４６の管材通路５４と本体４４の管材案内路５０との間の位置合わせの度合いを変動させるように、本体４４に対して移動可能である。ばね４８が、管材通路５４と管材案内路５０との間の位置合わせの度合いを低減する方向にプランジャ４６を付勢するように配置される。理解することができるように、ばね４８の付勢により、弾性管材セグメント１５は、本体４４およびプランジャ４６によって閉じられた状態で挟持され、それによって、輸注液が管材セグメントを通って流れることを防ぐ。プランジャ４６は、湾曲した作動面４７を備えることができる。本明細書に記載の例示的な実施形態では、湾曲した作動面４７は、管材通路５４の軸５５に直交する軸４９の回りの弧状セグメントプロファイルを含む。自由流れ防止デバイス１６は、投与セット１２が出荷され、実際の使用の前に格納されている間、ばね４８の付勢に対抗して自由流れ防止デバイス１６を開状態に維持するための分離戻り止めタブ１７を含むことができる。分離戻り止めタブ１７は、ポンプ１０における投与セット１２の装填の直前に永久的に取り除かれる。
【００１４】
[0020]図５Ａおよび図５Ｂは、ポンプ扉２８がその閉位置に固定される前に輸液ポンプ１２内に装填される投与セット１２を示すポンプ１０の正面断面図である。図５Ａに示すように、扉２８は、ヒンジピン３０の軸を中心に開位置まで枢動し、ユーザが自由流れ防止デバイス１６を第１の陥凹２０に挿入し、ロケータピン１８を第２の陥凹２２に挿入することを可能にすることができ、それによって管材セグメント１５は、ポンピング機構２４のポンピングフィンガ３２に隣接して僅かに張力をかけて保持される。図５Ｂは、投与セット１２がポンプに装填された後の扉２８の部分的閉鎖を示す。図５Ｂでは、扉２８はほとんどその完全に閉じた位置にあるが、その完全に閉じた位置においてまだ固定されていない。扉２８は、扉２８が閉じられる前にも後にも自由流れ防止デバイス１６に接触しておらず、それによって、流れ防止デバイス１６は、扉２８と完全に独立して動作する。したがって、管材セグメント１５は、本体４４とプランジャ４６との間で作用するばね４８の付勢作用に起因して、閉じた状態で挟持されたままである。扉２８の閉鎖は、完全なものであろうと、部分的なものであろうと、管材セグメント１５を通る流れを開くように自由流れ防止デバイス１６を作動させることはない。むしろ、以下で説明されるように、ラッチ部材３８の動作が、管材セグメント１５を通る流れを開くように自由流れ防止デバイス１６を作動させる。
【００１５】
[0021]ここで、輸液ポンプ１０においてポンプ扉２８をその閉位置に固定し、管材セグメント１５を通る流体の流れを可能にするように自由流れ防止デバイス１６を作動させるためのラッチ部材３８の動作を説明するために図６Ａ〜図６Ｆが参照される。図６Ａにおいて、扉２８はほとんどその完全に閉じた位置にあり、ラッチ部材３８は、扉２８に対するラッチ枢動軸４１の回りの枢動運動のその範囲において、係止解除限界位置にある。係止解除限界位置は、例えば、ラッチ部材３８の当接部分５６と、扉２８の当接面５８との係合によって定義することができ、それによって、１つの角度方向（例えば、図６Ａのビューにおける反時計回りの方向）におけるラッチ部材の更なる枢動運動が阻止される。ラッチ部材３８は、ラッチ部材３８がラッチピン４２と係合し、ポンプ扉２８を閉位置に固定するようにさせるための係止方向（例えば、図６Ａのビューにおける時計回りの方向）におけるラッチ枢動軸４１の回りの第１の範囲の枢動運動と、ラッチ部材３８が、弾性管材１５の挟持を解除し、管材を通る流体の流れを可能にするように、ばね４８の付勢に対抗して自由流れ防止デバイス１６を作動させるようにするための、係止方向におけるラッチ枢動軸４１の回りの第２の範囲の枢動運動とを有する。
【００１６】
[0022]ラッチ部材３８の第１の範囲の枢動運動が図６Ａ〜図６Ｆに示される。ラッチ部材３８は、ラッチ枢動軸４１の回りのラッチ部材の手動枢動を容易にするハンドルまたはステム３９を含む。ラッチ部材３８は、キーホール部分６４につながる通路面６２を有するスロット６０を更に含む。ラッチ部材３８が図６Ａに示す係止解除限界位置にあるとき、スロット６０の通路面６２は、ラッチピン４２とまだ係合していない。図６Ｂに示すように、ラッチ部材３８がラッチ枢動軸４１の回りを、係止方向に枢動されるとき、スロット６０の通路面６２は、ラッチピンの下でラッチピン４２と係合する。ラッチ部材３８が係止方向に更に枢動されるとき、通路面６２はラッチピン４２の下に沿って図６Ｃに示す位置まで進み、それによってポンプ扉２８に、ヒンジピン３０の軸の回りを、その完全に閉じた位置まで僅かに更に枢動させる。図６Ｄおよび図６Ｅに示すように、係止方向にラッチ部材３８を枢動させ続けることにより、キーホール部分６４がラッチピン４２に密接し、それによって、キーホール部分６４は、ラッチピン４２を受け入れる寸前になっている。ラッチ部材３８を図６Ｆに示す位置まで更に枢動させることにより、キーホール部分６４がラッチピン４２を受け入れ、それによってポンプ扉２８を輸液ポンプ１０においてその閉位置に固定する。図６Ｆに示すラッチ部材３８の位置は、ラッチ部材３８の係止限界位置に対応することができ、この位置において、ラッチ部材３８は、ラッチ部材とポンプ扉２８との係合により、係止方向における更なる枢動運動が阻止される。係止限界位置は、第１の範囲の枢動運動の終了を定義する。図６Ｆに示すように、ラッチ部材が係止限界位置にあるとき、ラッチハンドル３９は、ラッチハンドル３９の上面３９Ａが実質的にポンプ扉２８の上面２８Ａと同一平面上に有るように構成することができる。
【００１７】
[0023]自由流れ防止デバイス１６を作動させるためのラッチ部材３８の第２の範囲の枢動運動が図６Ｄ〜図６Ｆに示される。図６Ｄに示すように、ラッチ部材３８は、プランジャ４６の湾曲した作動面４７と協働するための湾曲したカム面６６を含むことができる。図６Ｄに示すラッチ部材３８の枢動位置において、湾曲したカム面６６は、プランジャ４６の湾曲した作動面４７と接触し、それによって、ラッチ部材３８の第２の範囲の枢動運動の開始を定義する。ラッチ部材３８が、ラッチ枢動軸４１の回りを図６Ｅに示す位置まで係止方向に更に枢動されるとき、湾曲したカム面６６と湾曲した作動面４７との係合が、ばね４８の付勢に対抗して、プランジャ４６を本体４４に対し下方に変位させ始める。ラッチ部材３８を係止方向に図６Ｆに示す位置まで枢動させ続けることにより、プランジャ４６の管材通路５４と本体４４の管材案内路５０とが実質的に互いに位置合わせされるまで、ばね４８の付勢に対抗してプランジャ４６の更なる変位が生じる。結果として、管材セグメント１５は、挟持を解除され、ポンピングプロトコルの開始の準備において流体が管材を通って流れることが可能になる。本実施形態において、係止限界位置は、第２の範囲の枢動運動の終了を更に定義するが、ラッチ部材３８が、第２の範囲の枢動運動を通じて枢動を開始する前に第１の範囲の枢動運動の少なくとも一部分を通じて枢動する限り、他の構成が可能である。第２の範囲の枢動運動の少なくとも一部分は、第１の範囲の枢動運動の一部分と重複することができる。第２の範囲の枢動運動は、ラッチ部材３８が係止解除限界位置からラッチ枢動軸４１の回りの所定の角度を係止方向に枢動した後に開始することができる。自由流れ防止デバイス１６の作動を開始する前に扉２８を完全に閉じるのを容易にするために、所定の角度が少なくとも４５°である場合、有利である。例えば、本明細書に記載の実施形態では、第２の範囲の枢動運動は、ラッチ部材３８が係止解除限界位置から約５３°の角度を枢動された後に開始する。
【００１８】
[0024]投与セット１２は、図６Ｆに示す係止限界位置から係止方向と反対の逆枢動方向にラッチ部材３８を枢動することによって輸液ポンプ１０から外すことができる。理解されるように、これにより、ラッチ部材３８がラッチピン４２から離れる前に、管材セグメント１５を挟持するばね４８の付勢によって、プランジャ４６が本体４４に対し上方に変位されることが可能になり、それにより、ポンプ扉２８が係止解除されてヒンジ軸３０の回りで開放され得るときに、自由流れが生じることを阻止する。
【００１９】
[0025]本開示の別の態様では、自由流れ防止の冗長性が提供される。ポンプ扉２８が図７に示す閉位置にあるとき、複数の蠕動ポンピングフィンガ３２のうちの少なくとも１つが、プラテン面３６に対抗して管材１５を挟持するように配置され、これにより、ポンピング機構が動作していない（すなわち、モーター駆動式カム３４が静止している）ときに管材を通る流れを阻止する。
【００２０】
[0026]本発明を例示的な実施形態に関連付けて説明してきたが、詳細な説明は、発明の範囲を示されている特定の形態に限定することを意図するものではない。本発明は、特許請求の範囲の範囲内に含まれ得るような、説明されている実施形態のそのような代替形態、変更形態、および等価物を網羅することを意図している。
【図１】
2020524543.tif 000003
【図２】
2020524543.tif 000004
【図３】
2020524543.tif 000005
【図４】
2020524543.tif 000006
【図５Ａ】
2020524543.tif 000007
【図５Ｂ】
2020524543.tif 000008
【図６Ａ】
2020524543.tif 000009
【図６Ｂ】
2020524543.tif 000010
【図６Ｃ】
2020524543.tif 000011
【図６Ｄ】
2020524543.tif 000012
【図６Ｅ】
2020524543.tif 000013
【図６Ｆ】
2020524543.tif 000014
【図７】
2020524543.tif 000015
【国際調査報告】
2020524543.tif 000016
2020524543.tif 000017
2020524543.tif 000018